(57)【要約】  【課題】  自動車の運転中や電車に乗車中など、電話を受けられないような状況において携帯電話機に着信があった場合、携帯電話機のキー操作を行うことなく、着信相手に対して現在位置情報等を電子メールにて通知する機能を備えた携帯電話機を提供する。  【解決手段】  携帯電話機の現在位置や現在時刻を特定する位置検出部と、着信相手の電話番号と電子メールアドレスを対で登録できる電話帳と、相手側切断等により通話が行われなかった場合、着信後に相手側の番号通知を確認して着信側の現在位置又は現在時刻或いは双方を本文とする電子メールを電話帳から作成し、相手側に自動送出する手段とを備える。  【選択図】  図１
2005142875.tif 000002
【特許請求の範囲】
【請求項１】
音声通話を行う携帯電話機であって、
前記携帯電話機の現在位置や現在時刻を特定する手段と、
着信相手の電話番号と電子メールアドレスを対で登録できる電話帳と、
相手側切断等により通話が行われなかった場合、着信後に相手側の番号通知を確認して着信側の現在位置又は現在時刻或いは双方を本文とする電子メールを前記電話帳から作成し、相手側に自動送出する手段と
を備える携帯電話機。
【発明の詳細な説明】
【技術分野】
【０００１】
本発明は、自動車の運転中や電車に乗車中など、電話を受けられないような状況において携帯電話機に着信があった場合、携帯電話機のキー操作を行うことなく、着信相手に対して現在位置情報等を電子メールにて通知する機能を備えた携帯電話機に関するものである。
【背景技術】
【０００２】
携帯電話機に着信があっても、自動車の運転中や電車に乗車中等、それに対応できない様々な状況がある。このような状況を考慮して、従来より携帯電話機には、運転中のモードや着信応答の保留、ネットワークの留守番電話サービスといった着信相手に対して応答できない旨を知らせることができるようにした手段を備えたものが知られる（例えば、特許文献１参照）。
【特許文献１】特開２００３−１７４６７４号公報
【発明の開示】
【発明が解決しようとする課題】
【０００３】
しかし、例えば、待ち合わせ場所に向かっているような場合においては、着信相手である待ち合わせ相手に対して、おおよその現在位置を知らせることができれば、より便利であると考えられるが、携帯電話機の使用者が自動車の運転中であったり、込み合った電車内にいるような状況では、音声通話や電子メールの作成、送信ができないという問題がある。
【０００４】
本発明は上述した問題点を解決するためになされたものであり、携帯電話機の使用者が音声通話や電子メールの作成、送信ができないという状況にあっても、着信した相手に対して現在位置や時刻を付した電子メールを自動的に送信することができる携帯電話機を提供することを目的とする。
【課題を解決するための手段】
【０００５】
上述した課題を解決するため、本発明は、音声通話を行う携帯電話機であって、前記携帯電話機の現在位置や現在時刻を特定する手段と、着信相手の電話番号と電子メールアドレスを対で登録できる電話帳と、相手側切断等により通話が行われなかった場合、着信後に相手側の番号通知を確認して着信側の現在位置又は現在時刻或いは双方を本文とする電子メールを前記電話帳から作成し、相手側に自動送出する手段とを備えるものである。
【発明の効果】
【０００６】
本発明によれば、自動車の運転中や電車内のような公共の場所等で電話を受けられないような状況において携帯電話機に着信があった場合、携帯電話機のキー操作を行うことなく、着信相手に対して現在位置や時刻に関する情報を電子メールにて送信することができ、例えば待ち合わせ場所で待っている着信相手に対してその場に向かっていることに関する情報を提供することができ、相手に安心感を与えることができる。また、電車内等、騒音によって着信音を感知することができない場合でも、同様である。更に、例えば携帯電話機を紛失したような場合には、その携帯電話機に所定の端末から着信させることによりその携帯電話機の所在を知ることができる。
【発明を実施するための最良の形態】
【０００７】
以下、本発明の実施の形態について図面を参照しつつ説明する。
【０００８】
図１は本実施の形態による携帯電話機の構成の一例を示すブロック図である。本実施の形態における携帯電話機はアンテナ１０１、送信部１０２、受信部１０３、マイク１０４、記憶部１０５、スピーカ１０６、操作部１０７、表示部１０８、位置検出部１０９及び制御部１１０を備える。
【０００９】
アンテナ１０１は、例えば携帯電話の基地局から電波信号を受信する。またアンテナ１０１は送信部１０２から受け取る送信信号を電波信号として送信する。
【００１０】
受信部１０３はアンテナ１０１が受け取った電波信号を携帯電話機の各構成要素において処理可能な受信信号に変換し制御部１１０に供給する。
【００１１】
制御部１１０は受け取った受信信号に基づいて、携帯電話機の各構成要素を制御する。また、制御部１１０は、受け取った受信信号が音声通話用の信号であるか、文字情報を有する電子メール用の信号であるか、または着信を示すための信号であるか否かを判断する手段を有する。更に制御部１１０は、受信信号及び操作部１０７から受け取る信号に基づいて表示部１０８を制御する。また、制御部１１０は位置検出部１０９に現在位置や時刻を測定させ、現在位置及び時刻情報を読み出す。
【００１２】
スピーカ１０６は制御部１１０から供給された音声通話用の信号を音声に変換して出力する。マイク１０４は使用者から音声情報を受け取り、受け取った音声情報を電気信号に変換し、制御部１１０に供給する。制御部１１０は受け取った電気信号を送信信号として送信部１０２に供給する。
【００１３】
記憶部１０５は、携帯電話機を動作させるためのデータ及びプログラムを格納する。
【００１４】
操作部１０７は、使用者からの電話番号、メールアドレスや各種機能設定内容のデータ入力を受け取り、それを制御部１１０に供給する。また、前記データは制御部１１０によって、記憶部１０５に格納される。
【００１５】
また、制御部１１０は、前記現在位置、時刻情報及び記憶部１０５内の電話帳のメールアドレスより送信すべき電子メールを作成し、更にそれに基づく送信信号の作成を行い、送信部１０２及びアンテナ１０１を介して前記送信信号を送信する手段を有する。
【００１６】
このように構成された携帯電話機において不在着信があった場合、自動的に着信相手に対して現在位置や時刻を電子メールで連絡する本発明の実施の形態における動作について、図２、図３及び図４のフローチャートに基づいて説明する。
【００１７】
図２は、予め本制御を行うためのモード設定・解除を行っておくモード設定処理の一例を示したフローチャートであり、モードの設定が選択されると（ステップＳ２０１，Ｙ）、記憶部１０５の現在位置通知モードフラグをオンして（ステップＳ２０２）処理を終了する。ステップＳ２０１において、モードの解除が選択されると（Ｓ２０１，Ｎ）記憶部１０５の現在位置通知モードフラグをオフして（ステップＳ２０３）処理を終了する。本モードの設定は操作部１０７内の所定のキーに割り当てを行い、ワンキー操作で設定・解除を簡単に行えるようにしても良い。
【００１８】
図３は、着信時における本発明の実施の形態の制御の一例を示したフローチャートであり、着信中にイベントが発生すると（ステップＳ３０１）、そのイベントに応じてステップＳ３０２〜ステップＳ３０５の処理を行う。操作部１０７の通話を開始するための「開始キー」が押下されると、ステップＳ３０２において通常の通話開始処理が行われ、その後通話終了処理が行われる。
【００１９】
この場合、例え本モードが設定されていたとしても、携帯電話機の使用者は着信相手に対して、現在位置等を電子メールで知らせる必要がないため、何の処理を行うこともなく、処理は終了する。また、操作部１０７の応答保留を行うための「終了キー」が押下されると、ステップＳ３０５において、既に応答保留が設定されているか否かが判定され、未だ応答保留が設定されていなければ（ステップＳ３０５，Ｎ）、ステップＳ３０６において応答保留の設定処理が行われ、その後、再度ステップＳ３０１のイベント待ち状態に移行する。
【００２０】
一方、ステップＳ３０５において、既に応答保留が設定されている場合に、操作部１０７の「終了キー」が再度押下された場合には、ステップＳ３０３において切断処理を行う。この場合と同様に、ステップＳ３０１において着信中に相手側が切断を行った場合もステップＳ３０３において切断処理を行う。また、同様にステップＳ３０１において、着信中に操作部１０７の特定のキー操作もしくは着信時間のタイムアウトが発生すると、ステップＳ３０４によって、ネットワークの留守番電話サービスに転送する処理を行った後、同様に、ステップＳ３０３において切断処理を行う。
【００２１】
このように、ステップＳ３０３において切断処理を行うような場合に、本発明の目的である着信相手に対して、現在位置、時刻等を電子メールで知らせる必要性が生じる。
【００２２】
そこで、ステップＳ３０７において、記憶部１０５の現在位置通知モードフラグがオンされており（ステップＳ３０７，Ｙ）、且つステップＳ３０８において着信した際に発信者の番号通知がされていたとき（ステップＳ３０８，Ｙ）のみ、電子メールの送信処理を開始する（ステップＳ３０９）。それ以外の場合（ステップＳ３０７，Ｎ、且つステップＳ３０８，Ｎ）には、何の処理を行うことなく動作は終了される。
【００２３】
図４は、メール送信処理の一例を示したフローチャートであり、ステップＳ４０１において、発信者の番号が記憶部１０５の電話帳に登録されており（Ｓ４０１，Ｙ）、且つステップＳ４０２において、電話帳内にその通知電話番号と共にメールアドレスが登録されているとき（Ｓ４０２，Ｙ）のみ制御部１１０は位置検出部１０９に現在位置及び時刻を測定させ、測定された現在位置及び時刻情報を読み出す（ステップＳ４０３）。
【００２４】
現在位置及び時刻情報が正しく取得されると（ステップＳ４０４，Ｙ）、制御部１１０は、ステップＳ４０５において、取得した現在位置及び時刻情報を本文に、そして記憶部１０５から読み出した前記着信した相手のメールアドレスを宛先に設定した送信メールを作成する。この際、複数のメールアドレスが電話帳の該当番号内に登録されている場合、それらを全て宛先として設定するようにしても良い。また、電子メールの自動送信が不要な相手にまでメールを送信することを希望しない場合は、自動送信を望む相手を別途設定可能とする機能を有するようにしても良い。
【００２５】
その後、制御部１１０は、ステップＳ４０６において、作成した電子メールの送信を行う。ここで、電子メールの送信に成功すると（ステップＳ４０７，Ｙ）、ステップＳ４０８において着信履歴に本通知が正常終了したことを登録して処理を終了する。
【００２６】
一方、ステップＳ４０４において、現在位置及び時刻情報が正しく取得できないか、又はステップＳ４０７において電子メールの送信に失敗した場合には、ステップＳ４０９において、スピーカ１０６からビープ音を鳴音させることにより、送信を失敗した旨を使用者に知らせ、更にステップＳ４１０において、着信履歴に本通知が正常終了できなかった旨を登録して処理を終了する。
【００２７】
なお、本電子メールの受信相手先には、地図情報を搭載したパソコン若しくは携帯電話機は勿論のこと、それだけでなく、インターネットに接続可能なパソコンや携帯電話機であっても、その受信した電子メールの現在位置情報をもってインターネット上のサイト等をアクセスすることにより送信者のおおよその位置情報を把握することができるため、そのようなインターネットに接続可能なパソコンや携帯電話機も含まれ得る。
【００２８】
位置情報としては、位置検出部１０９により該携帯電話機が存在するエリアの基地局の情報から取得するようにしたり、近傍の複数の基地局の受信レベルにより位置を算出して取得するようにすることができる。また、当該携帯電話機がＧＰＳ（Ｇｌｏｂａｌ  Ｐｏｓｉｔｉｏｎｉｎｇ  Ｓｙｓｔｅｍ）機能を有するような場合は、呼出終了後にＧＰＳ機能を起動して位置情報を取得するようにしても良い。
【００２９】
また、送信すべき具体的な位置情報としては、送信相手端末がインターネット接続機能を有する場合は、座標データのみを送信し、相手端末においてその座標に基づいてインターネットにアクセスし、その座標の地図情報を取得するようにしても良い。一方、当該携帯電話機において、その座標データに基づいてインターネット等にアクセスし、該座標データに基づく地図情報を取得して相手側端末に位置情報として送信するようにしても良い。この場合、取得した地図情報を送信メールに自動添付することが好ましい。
【図面の簡単な説明】
【００３０】
【図１】本発明の実施の形態による構成を示す機能ブロック図である。
【図２】予め本制御を行うためのモード設定・解除を行っておくモード設定処理の一例を示したフローチャートである。
【図３】着信時における本発明の実施の形態の制御の一例を示したフローチャートである。
【図４】メール送信処理の一例を示したフローチャートである。
【符号の説明】
【００３１】
１０１  アンテナ、１０２  送信部、１０３  受信部、１０４  マイク、１０５  記憶部、１０７  操作部、１０８  表示部、１０９  位置検出部、１１０  制御部。
【図１】
2005142875.tif 000003
【図２】
2005142875.tif 000004
【図３】
2005142875.tif 000005
【図４】
2005142875.tif 000006